【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
カソードと、
アノードと、
セパレータと、
電解質と、
式Ｉの化合物を含む添加剤と、
Ｒ−Ｘ  （Ｉ）
を含む電気化学二重層コンデンサであって、
Ｒは、飽和アルキル、不飽和アルキル、飽和分岐アルキル、アリール、置換アリール、又は置換アルキルであり、
Ｘは、Ｉ、Ｂｒ、Ｃｌ、−ＳＯ２Ｆ、−ＳＯ２ＣＦ３、−ＯＣＨ３、−Ｎ（ＳＯ２Ｆ）２、−Ｎ（ＳＯ２ＣＦ３）２、−Ｎ（ＣＮ）２、−Ｓｉ（ＣＨ３）３、−Ｏ−Ｓ（Ｏ）２−ＯＣＨ３、−Ｓ（Ｏ）２−Ｏ−ＣＦ３、又はトシレートであり、
前記電気化学二重層コンデンサの前記電解質内の式Ｉの前記化合物の濃度は、体積で約０．１％、約０．２％、約０．３％、約０．４％、約０．５％、約０．６％、約０．７％、約０．８％、約０．１％、約１％、約２％、約３％、約４％、約５％、約６％、約７％、約８％、約９％からなる群より選択される、電気化学二重層コンデンサ。
【請求項２】
式Ｉの前記化合物は塩化アルキルである、請求項１に記載の電気化学二重層コンデンサ。
【請求項３】
式Ｉの前記化合物は塩化アリールである、請求項１に記載の電気化学二重層コンデンサ。
【請求項４】
式Ｉの前記化合物は、クロロベンゼン、１−クロロ−ｎ−ブタン、ブロモベンゼン、１−ブロモ−ｎ−ブタン、１−クロロプロパン、及び１−ブロモプロパンのうち少なくとも１つである、請求項１に記載の電気化学二重層コンデンサ。
【請求項５】
式Ｉの前記化合物はクロロベンゼンである、請求項４に記載の電気化学二重層コンデンサ。
【請求項６】
式Ｉの前記化合物は１−クロロ−ｎ−ブタンである、請求項４に記載の電気化学二重層コンデンサ。
【請求項７】
式Ｉの前記化合物は前記電解質に含まれ、前記電解質はイオン種及び溶剤を含む、請求項１に記載の電気化学二重層コンデンサ。
【請求項８】
前記溶剤は、アセトニトリル、プロピオニトリル、及びブチロニトリルのうち少なくとも１つである、請求項７に記載の電気化学二重層コンデンサ。
【請求項９】
前記溶剤は、ガンマ−ブチロラクトン、プロピレンカーボネート、エチレンカーボネート、ジメチルカーボネート、及びジエチルカーボネートのうち少なくとも１つである、請求項７に記載の電気化学二重層コンデンサ。
【請求項１０】
前記イオン種は第４級アンモニウム塩である、請求項７に記載の電気化学二重層コンデンサ。
【請求項１１】
前記第４級アンモニウム塩は、スピロ−ビピロリジニウムテトラフルオロボレート（ＳＢＰ  ＢＦ４）、テトラエチルアンモニウムテトラフルオロボレート（ＴＥＡ  ＴＦＢ）、及びトリエチル（メチル）アンモニウムテトラフルオロボレートのうち１つである、請求項１０に記載の電気化学二重層コンデンサ。
【請求項１２】
前記電解質は更に安定剤を含む、請求項７に記載の電気化学二重層コンデンサ。
【請求項１３】
前記安定剤はベンゾニトリルである、請求項１２に記載の電気化学二重層コンデンサ。
【請求項１４】
式Ｉの前記化合物は前記セパレータに含まれる、請求項１に記載の電気化学二重層コンデンサ。
【請求項１５】
式Ｉの前記化合物は前記アノード及び前記カソードのうち少なくとも１つに含まれる、請求項１に記載の電気化学二重層コンデンサ。
【請求項１６】
式Ｉの前記化合物は前記カソード及び前記アノードのうち少なくとも１つの結合剤に含まれる、請求項１５に記載の電気化学二重層コンデンサ。
【請求項１７】
約２．７Ｖよりも大きい動作電圧を有する、請求項１に記載の電気化学二重層コンデンサ。
【請求項１８】
約５０℃よりも高い定格最高温度を有する、請求項１に記載の電気化学二重層コンデンサ。
【請求項１９】
カソードと、
アノードと、
セパレータと、
電解質と、
ベンゾニトリルである安定剤と、
式Ｉの化合物を含む添加剤と、
Ｒ−Ｘ    （Ｉ）
を含む電気化学二重層コンデンサであって、
Ｒは、飽和アルキル、不飽和アルキル、飽和分岐アルキル、アリール、置換アリール、又は置換アルキルであり、
Ｘは、Ｉ、Ｂｒ、Ｃｌ、ＦＳＯ２、ＣＦ３ＳＯ２、ＯＣＨ３、Ｎ（ＳＯ２Ｆ）２、Ｎ（ＳＯ２ＣＦ３）２、Ｎ（ＣＮ）２、Ｓｉ（ＣＨ３）３、ＳＯ４ＣＨ３、ＣＦ３ＳＯ３、又はトシレートであり、
前記電気化学二重層コンデンサの前記電解質内の式Ｉの前記化合物及び前記安定剤の総濃度は体積で約１０％以下である、電気化学二重層コンデンサ。
【請求項２０】
式Ｉの前記化合物及び前記安定剤の前記総濃度はほぼ同じである、請求項１９に記載の電気化学二重層コンデンサ。
【請求項２１】
式Ｉの前記化合物及び前記安定剤の前記総濃度は約５％である、請求項１９に記載の電気化学二重層コンデンサ。
【請求項２２】
式Ｉの前記化合物はクロロベンゼンである、請求項１９に記載の電気化学二重層コンデンサ。
【請求項２３】
式Ｉの前記化合物は１−クロロ−ｎ−ブタンである、請求項１９に記載の電気化学二重層コンデンサ。
【請求項２４】
ＥＤＬＣセルを製造する方法であって、
正極集電体上にカソードを配置することと、
負極集電体上にアノードを配置することと、
前記正極集電体と前記負極集電体との間にセパレータを配置して前記ＥＤＬＣセルを形成することと、
前記ＥＤＬＣセルをコンテナ内に配置することと、
イオン種と、溶剤と、式Ｉの化合物を含む添加剤と、を含む電解質配合物を前記ＥＤＬＣセルに浸透させることと、
を含み、
Ｒ−Ｘ  （Ｉ）
Ｒは、飽和アルキル、不飽和アルキル、飽和分岐アルキル、アリール、置換アリール、又は置換アルキルであり、
Ｘは、Ｉ、Ｂｒ、Ｃｌ、ＦＳＯ２、ＣＦ３ＳＯ２、ＯＣＨ３、Ｎ（ＳＯ２Ｆ）２、Ｎ（ＳＯ２ＣＦ３）２、Ｎ（ＣＮ）２、Ｓｉ（ＣＨ３）３、ＳＯ４ＣＨ３、ＣＦ３ＳＯ３、又はトシレートであり、
前記電解質内の式Ｉの前記化合物の濃度は、体積で約０．１％、約０．２％、約０．３％、約０．４％、約０．５％、約０．６％、約０．７％、約０．８％、約０．１％、約１％、約２％、約３％、約４％、約５％、約６％、約７％、約８％、約９％からなる群より選択される、方法。
【請求項２５】
前記電解質は更に安定剤を含む、請求項２４に記載の方法。
【請求項２６】
前記安定剤はベンゾニトリルである、請求項２５に記載の方法。
【請求項２７】
式Ｉの前記化合物は、前記ＥＤＬＣセル内に存在する第３級アミンをアルキル化又はアリール化するように配合されている、請求項２４に記載の方法。
【請求項２８】
式Ｉの前記化合物は塩化アルキルである、請求項２４に記載の方法。
【請求項２９】
式Ｉの前記化合物は塩化アリールである、請求項２４に記載の方法。
【請求項３０】
式Ｉの前記化合物は、クロロベンゼン、１−クロロ−ｎ−ブタン、ブロモベンゼン、１−ブロモ−ｎ−ブタン、１−クロロプロパン、及び１−ブロモプロパンのうち少なくとも１つを含む、請求項２４に記載の方法。
【請求項３１】
式Ｉの前記化合物はクロロベンゼンである、請求項３０に記載の方法。
【請求項３２】
前記溶剤は、アセトニトリル、プロピオニトリル、及びブチロニトリルのうち少なくとも１つを含む、請求項２４に記載の方法。
【請求項３３】
前記イオン種は、スピロ−ビピロリジニウムテトラフルオロボレート（ＳＢＰ  ＢＦ４）、テトラエチルアンモニウムテトラフルオロボレート（ＴＥＡ  ＴＦＢ）、及びトリエチル（メチル）アンモニウムテトラフルオロボレートのうち１つである、請求項２４に記載の方法。
【請求項３４】
前記ＥＤＬＣセルは約２．７Ｖよりも大きい動作電圧を有する、請求項２４に記載の方法。
【請求項３５】
前記ＥＤＬＣセルは摂氏約５０度よりも高い動作温度を有する、請求項２４に記載の方法。